(57)【要約】【課題】  一方の端縁にて接着された２枚の表紙紙片と１枚の中間紙片からなり、中間紙片の他方の端縁に開封可能に封緘部が形成された付録つきチラシ及びその製造方法を提供することにある。【解決手段】  ２台の輪転印刷機を使用して、広幅用紙及び広幅用紙の幅の１／２より所定寸法だけ大きい狭幅用紙に同一絵柄ピッチの印刷を行い、印刷した狭幅用紙の所定位置にミシン目を形成し、印刷した広幅用紙の幅方向の中央部にてスリットし、狭幅用紙と広幅用紙面を一方の端縁を揃えて重ね合わせて一方の端縁にて接着し、接着した広幅用紙と狭幅用紙を広幅用紙の幅方向の中央部にて狭幅用紙を内側にして折り曲げ、広幅用紙及び狭幅用紙の他方の端縁を対向する面に接着し、所定位置にてカットする工程からなることを特徴とする付録つきチラシの製造方法である。【選択図】        図１
2010030319.tif 000002
【特許請求の範囲】
【請求項１】
同寸法で形成された表裏２枚の表紙紙片とその間に挿入される１枚の中間紙片からなり、前記表紙紙片と前記中間紙片を一方の端縁にて揃えて接着部にて接着した付録つきチラシであって、前記中間紙片が、左右方向の寸法が前記表紙紙片の左右方向の寸法より一定寸法だけ大きく突出し該突出した部分を前記表紙紙片の他方の端縁に位置する折目にて折り返し、該折り返した紙片の端縁を対向する前記中間紙片面に接着するとともに前記中間紙片の折目の近傍に該折目に平行にミシン目を設けることにより形成された封緘部を有する構成からなることを特徴とする付録つきチラシ。
【請求項２】
前記表紙紙片と前記中間紙片とが、一方の端縁方向の長さが同一であり、該両端縁にて揃っていることを特徴とする請求項１記載の付録つきチラシ。
【請求項３】
２台の輪転印刷機を使用して、一方の輪転印刷機で連続した広幅用紙に、他方の輪転印刷機で広幅用紙の幅の１／２より所定寸法だけ大きい連続した狭幅用紙に、それぞれ絵柄ピッチが同じ印刷を行う工程と、他方の輪転印刷機で印刷した狭幅用紙に狭幅用紙の一方の端縁から広幅用紙の幅の１／２間隔をおいた位置に１本もしくは該位置を跨ぐように所定間隔をおいて２本のミシン目を形成する工程と、一方の輪転印刷機で印刷した広幅用紙の幅方向の中央部を流れに平行方向にスリットする工程と、狭幅用紙を広幅用紙に広幅用紙の一方の端縁と狭幅用紙の一方の端縁を揃えて重ね合わせて一方の端縁にて接着する工程と、接着した広幅用紙と狭幅用紙を広幅用紙の幅方向の中央部にて狭幅用紙を挟み込むように流れに平行方向に折り曲げる工程と、折り曲げられた広幅用紙の他方の端縁と狭幅用紙の一方の端縁を接着するとともに折り曲げられた狭幅用紙の他方の端縁を対向する狭幅用紙に接着する工程と、折り曲げられて接着された広幅用紙と狭幅用紙を流れに直交方向の所定位置にてカットする工程からなることを特徴とする付録つきチラシの製造方法。
【発明の詳細な説明】
【技術分野】
【０００１】
本発明は、一方の端縁にて接着された２枚の表紙紙片と１枚の中間紙片からなり、中間紙片の他方の端縁に封緘部が形成されており、封緘部を切り裂いて開封し、封緘部に添付されている引換券等を切り取って使用できるようにされた付録つきチラシに関する。
【背景技術】
【０００２】
従来、引換券やクーポン券等が切り取り可能に添付された広告用のチラシとしては、チラシの一部分が引換券やクーポン券等とされて切り取り可能に形成されている構成のものは知られている。しかしながら、上記のチラシは１枚ものが一般的であり、あまりにも見慣れた形態であるため、顧客吸引力に乏しくなってきており、また印刷面積も限られているという問題がある。
【発明の概要】
【発明が解決しようとする課題】
【０００３】
本発明は、一方の端縁にて接着された２枚の表紙紙片と１枚の中間紙片からなり、中間紙片の他方の端縁にミシン目に沿って切って開封できる封緘部が形成されており、切り離し可能に引換券等が形成されている、顧客吸引力が高く且つ印刷面積の大きい付録つきチラシ及びその製造方法を提供することにある。
【課題を解決するための手段】
【０００４】
同寸法で形成された表裏２枚の表紙紙片とその間に挿入される１枚の中間紙片からなり、表紙紙片と中間紙片を一方の端縁にて揃えて接着部にて接着した付録つきチラシであって、中間紙片が、左右方向の寸法が表紙紙片の左右方向の寸法より一定寸法だけ大きく突出し該突出した部分を表紙紙片の他方の端縁に位置する折目にて折り返し、該折り返した紙片の端縁を対向する中間紙片面に接着するとともに中間紙片の折目の近傍に該折目に平行にミシン目を設けることにより形成された封緘部を有する構成とすることにより、中間紙片の他方の端縁の封緘部に引換券やクーポン券等を印刷しておくことにより、中間紙片の封緘部をミシン目に沿って開封し、封緘部に印刷されている引換券やクーポン券等を切り離して使用することができる。また、外側の２枚の表紙紙片の両面及び中間紙片の外面側を商品の広告用に使用できるので、広告面積が大きく顧客に対する訴求効果が優れるとともに、冊子状に綴じられているので広告が見やすい新聞折り込み用に適した付録つきチラシとすることができる。
【０００５】
上記の付録つきチラシにおいて、表紙紙片と中間紙片とが一方の端縁方向の長さが同一であり、該両端縁にて揃っている構成とすることにより、効率的に大量生産することが容易となる。
【０００６】
２台の輪転印刷機を使用して、一方の輪転印刷機で連続した広幅用紙に、他方の輪転印刷機で広幅用紙の幅の１／２より所定寸法だけ大きい連続した狭幅用紙に、それぞれ絵柄ピッチが同じ印刷を行う工程と、他方の輪転印刷機で印刷した狭幅用紙に狭幅用紙の一方の端縁から広幅用紙の幅の１／２間隔をおいた位置に１本もしくは該位置を跨ぐように所定間隔をおいて２本のミシン目を形成する工程と、一方の輪転印刷機で印刷した広幅用紙の幅方向の中央部を流れに平行方向にスリットする工程と、狭幅用紙を広幅用紙に広幅用紙の一方の端縁と狭幅用紙の一方の端縁を揃えて重ね合わせて一方の端縁にて接着する工程と、接着した広幅用紙と狭幅用紙を広幅用紙の幅方向の中央部にて狭幅用紙を挟み込むように流れに平行方向に折り曲げる工程と、折り曲げられた広幅用紙の他方の端縁と狭幅用紙の一方の端縁を接着するとともに折り曲げられた狭幅用紙の他方の端縁を対向する狭幅用紙に接着する工程と、折り曲げられて接着された広幅用紙と狭幅用紙を流れに直交方向の所定位置にてカットする工程からなる付録つきチラシの製造方法とすることにより、２台の輪転印刷機を使用して、連続した広幅用紙と狭幅用紙にそれぞれ印刷するとともに、印刷工程とインラインで付録つきチラシを効率よく低コストで大量生産することきができる。また、２台の輪転印刷機を使用して印刷することにより、左右方向の寸法の大きい付録つきチラシを簡単に作製することができる。
【発明の効果】
【０００７】
本発明の付録つきチラシは、表裏２枚の表紙紙片とその間に挿入される１枚の中間紙片が一方の端縁にて接着して綴じられ、中間紙片の他方の端縁側にミシン目に沿って切って開封できる封緘部を有する構成であるので、中間紙片に形成されている封緘部を開封することにより、封緘部に印刷されている引換券やクーポン券等を切り離して使用することができるものである。また、外側の２枚の表紙紙片の両面及び中間紙片の外面の領域は商品の広告用に使用できるので、印刷された商品の広告を左右に大きく見開いて見ることができ、顧客に対する訴求効果が大きく且つ印刷された広告内容の見やすい新聞折り込み用の付録つきチラシとすることができるものである。
【０００８】
付録つきチラシを、２台の輪転印刷機を使用して広幅用紙と狭幅用紙に印刷する工程とインラインで加工が可能な本件発明の製造方法にて製造することにより、左右方向の寸法の大きい２枚の表紙紙片と１枚の中間紙片からなり、中間紙片に封緘部が形成された付録つきチラシを、簡単な工程で低コストで効率的に大量生産することきができるものである。
【図面の簡単な説明】
【０００９】
【図１】本発明の付録つきチラシの半開き状態の斜視図。
【図２】本発明の付録つきチラシの封緘部を開封した状態の斜視図。
【図３】本発明の付録つきチラシの製造工程を示す印刷された広幅紙片と狭幅紙片を一方の端縁を揃えて重ね合わせ接着した状態の平面図。
【図４】図３におけるＩ−Ｉ断面図。
【図５】本発明の付録つきチラシの製造工程を示す図４に対応する断面図。
【図６】図３に示す状態から折目線にて狭幅紙片を内側にして折り曲げて接着した状態を示す平面図。
【図７】図６におけるII−II断面図。
【図８】本発明の付録つきチラシの閉じた状態の平面図。
【図９】広幅用紙及び狭幅用紙に印刷する輪転印刷機の概略を示す図。
【図１０】接着折曲部の概略を示す図。
【発明を実施するための形態】
【００１０】
以下、図面を引用して本発明の実施の形態を説明する。図１は本発明の付録つきチラシの半開き状態の斜視図、図２は本発明の付録つきチラシの封緘部を開封した状態の斜視図、図３は本発明の付録つきチラシの製造工程を示す印刷された広幅紙片と狭幅紙片を一方の端縁を揃えて重ね合わせ接着した状態の平面図、図４は図３におけるＩ−Ｉ断面図、図５は本発明の付録つきチラシの製造工程を示す図４に対応する断面図、図６は図３に示す状態から折目線にて狭幅紙片を内側にして折り曲げて接着した状態を示す平面図、図７は図６におけるII−II断面図、図８は本発明の付録つきチラシの閉じた状態の平面図、図９は広幅用紙及び狭幅用紙に印刷する輪転印刷機の概略を示す図、図１０は接着折曲部の概略を示す図であって、１ａ，１ｂは表紙紙片、２ａは中間紙片、２ｂは折曲紙片、３，４，５は接着部、６はミシン目、７は切取線、８は折目線、９はカット線、１は広幅用紙、２は狭幅用紙、１１，２１は給紙部、１２，２２は印刷部、１３，２３は乾燥部、２４はピッチ調整部、２５，２６は反転ロール、３０は接着折曲部、３１，３２，３３は糊付部、３４はスリット部、３５はミシン目形成部、３６は折曲部、３７はカット部、Ａ，Ｂは輪転印刷機をそれぞれ表す。
【００１１】
本発明の実施形態の付録つきチラシの半開き状態の斜視図は、図１に示すとおりであり、同一寸法の長方形状である表裏２枚の表紙紙片１ａ，１ｂとその間に挿入された１枚の中間紙片２ａからなり、表紙紙片１ａ，１ｂと中間紙片２ａは一方の端縁にて揃えて接着部にて接着されて綴じられ、中間紙片２ａが左右方向の寸法が表紙紙片１ａ，１ｂの左右方向の寸法より一定寸法だけ大きい紙片となっており、中間紙片２ａの他方の端縁から突出した部分が表紙紙片１ａ，１ｂの他方の端縁の位置にて折り返されて折曲紙片２ｂとなり、折曲紙片２ｂの端縁を対向する中間紙片２ａ面に接着部４にて接着することにより部分的に封緘された封緘部が形成され、折目の近傍に該折目に平行にミシン目６が形成された構成である。
【００１２】
実施形態の付録つきチラシの中間紙片２ａの他方の端縁をミシン目６に沿って切り取って開封した状態の斜視図は、図２に示すとおりであって、中間紙片２ａの他方の端縁側の部分と接着部４にて接着された折曲紙片２ｂが見開ける状態となる。図２に示すように、中間紙片２ａの他方の端縁側の部分が印刷された切取線７により区画されており、切取線７に沿って切り取って引換券として使用できるようにされており、折曲紙片２ｂの内面側には引換券に関する説明が印刷されている。表紙紙片１ａ，１ｂの両面及び中間紙片２ａと折曲紙片２ｂの封緘されていない外面側には商品の広告が印刷されている。実施形態では開封した中間紙片２ａの他方の端縁側の部分が印刷された切取線７に沿って鋏で切り取って引換券として使用できるようにされているが、切取線７をミシン目により形成して手で切り取れるようにしてもよい。折曲紙片２ｂの左右方向の寸法は、折曲紙片２ｂを切り取って使用する用途に適した寸法に設定すればよく任意である。
【００１３】
実施形態の付録つきチラシの製造工程は下記のとおりである。図９に示すように、２台のオフセツト輪転印刷機を使用して、一方の輪転印刷機Ａにて広幅用紙１に所定の絵柄を印刷し、他方の輪転印刷機Ｂにて広幅用紙の幅の１／２より所定寸法だけ大きい狭幅用紙２に所定の絵柄を印刷する。２台の輪転印刷機では同一ピッチの印刷版を使用して絵柄ピッチが同一となるように印刷される。輪転印刷機Ａにより広幅用紙１を給紙部１１から給紙して印刷部１２にて所定の絵柄を印刷して乾燥部１３にて印刷インキを乾燥させた後に接着折曲部３０に送られ、輪転印刷機Ｂにより狭幅用紙２を給紙部２１から給紙して印刷部２２にて所定の絵柄を印刷して乾燥部２３にて印刷インキを乾燥させた後に、狭幅用紙２を反転ロール２５にて直角に反転させ、ピッチ調整部２４を通り、反転ロール２６にて直角に反転させて、狭幅用紙２の一方の端縁から広幅用紙の幅の１／２の寸法だけ内側の位置の両側に２本のミシン目を形成して、広幅用紙１と狭幅用紙２の一方の端縁を揃えて重ね合わされて接着折曲部３０に送られる。
【００１４】
接着折曲部３０では、図１０に示すように、広幅用紙１の幅方向の中央部にてスリット部３５にてスリットし、糊付部３１にて狭幅用紙２の一方の端縁に接着剤を塗布し、広幅用紙１と狭幅用紙２の一方の端縁を揃えて広幅用紙１と狭幅用紙２を接着する。次いで、糊付部３２にて狭幅用紙２の他方の端縁に接着剤を塗布するとともに糊付部３３にて広幅用紙１と積層された狭幅用紙２の一方の端縁に接着剤を塗布し、広幅用紙１と狭幅用紙２を重ねた状態で広幅用紙１の幅方向の中央部にて狭幅用紙２を内側にして流れに平行に２つ折して、広幅用紙１の他方の端縁を狭幅用紙２の一方の端縁に接着するとともに狭幅用紙２の他方の端縁を対向する狭幅用紙２面に接着した後、流れに直交方向の所定位置にてカットすることにより折り畳まれた状態の実施形態の付録つきチラシが作製される。
【００１５】
上記の付録つきチラシの製造方法において、２台の輪転印刷機間にピッチ調整装置２４を設置しておき、２台の輪転印刷機にて同一ピッチの印刷版を使用して絵柄が印刷されるのであるが、印刷された広幅用紙１と狭幅用紙２の印刷絵柄ピッチにバラツキが発生した場合には、ピッチ調整装置２４により狭幅用紙２のテンションを変えることにより、狭幅用紙２の印刷絵柄ピッチを広幅用紙１の印刷絵柄ピッチに合わせるように調整することにより、重ね合わされた広幅用紙１と狭幅用紙２の印刷絵柄が一致するように調整される。
【００１６】
一方の輪転印刷機で印刷され幅方向の中央部にて流れに平行方向にスリットされた広幅用紙１と、他方の輪転印刷機で印刷され流れに平行方向の所定位置にミシン目６が形成された狭幅用紙２を一方の端縁で揃えて重ね合わせて接着した状態は図３、図４に示すとおりである。広幅紙片１と、左右寸法が広幅紙片１の１／２より所定寸法だけ大きい狭幅紙片２を一方の端縁で揃えて、広幅紙片１の一方の端縁と狭幅紙片２の一方の端縁を接着部３にて接着されており、広幅用紙１の左右方向の中央部が折目線８とされて折目線８の箇所で広幅用紙１が流れ方向にスリットされており、狭幅紙片２には折目線８の両側近傍に流れ方向に平行に２本のミシン目６が形成されている。広幅用紙１には左右方向に表紙紙片１ａと表紙紙片１ｂが割り付けられるとともに、狭幅紙片２には中間紙片２ａと折曲紙片２ｂが割り付けられており、広幅用紙１の表紙紙片１ａの端縁と狭幅紙片２の中間紙片２ａの端縁を揃えて接着部３にて接着されている。
【００１７】
図３、図４に示す、広幅用紙１と狭幅紙片２を一方の端縁で揃えて重ね合わせて接着部３にて接着した状態から、断面が図５に示されているように、狭幅紙片２の接着部３と反対側の他方の端縁に沿った接着部４及び接着部３に対応する狭幅紙片２の一方の端縁の接着部５にそれぞれ接着剤を塗布した後に、広幅用紙１と狭幅紙片２を広幅用紙１の左右方向の中央部のスリットされた折目線８の位置にて狭幅紙片２を挟み込むように折り曲げて、広幅用紙１の他方の端縁を狭幅紙片２の一方の端縁に接着するとともに、折り曲げられた狭幅紙片２の他方の端縁を対向する狭幅紙片２面に接着して封緘部を形成することにより、折り畳まれた実施形態の付録つきチラシが流れ方向にカット線９を介して連続した図６、図７に示す状態とする。最後に、カット線９にてカットすることにより、図８に示す折り畳まれた実施形態の付録つきチラシが得られる。図６の点線で表されている部分は狭幅紙片２の接着部３と反対側の他方の端縁を示している。
【００１８】
上記のように、２台の輪転印刷機を使用して、一方の輪転印刷機に広幅用紙に所定の絵柄を印刷し、他方の輪転印刷機にて広幅用紙の幅の１／２より所定寸法だけ大きい狭幅用紙に所定の絵柄を印刷する方法にて付録つきチラシを製造することより、印刷とインラインの加工により簡単な工程で付録つきチラシを効率的に大量生産することが可能となるのでコストダウンを図ることができる。付録つきチラシの中間紙片に形成された封緘部に引換券やクーポン券等を印刷しておくことにより、封緘部をミシン目で切り取って開封し、引換券やクーポン券等を切り離して利用することができるものである。また付録つきチラシの左右寸法を一方の輪転印刷機にて印刷される広幅用紙の幅と同じ寸法まで大きくすることが可能であり、付録つきチラシを左右方向に大きく見開くことができるので、見る人に対する訴求効果の大きい左右方向に大きい印刷面を有する付録つきチラシとすることができる。
【符号の説明】
【００１９】
１ａ，１ｂ                              表紙紙片
２ａ                                    中間紙片
２ｂ                                    折曲紙片
３，４，５                              接着部
６                                      ミシン目
７                                      切取線
８                                      折目線
９                                      カット線
１                                      広幅用紙
２                                      狭幅用紙
１１，２１                              給紙部
１２，２２                              印刷部
１３，２３                              乾燥部
２４                                    ピッチ調整部
２５，２６                              反転ロール
３０                                    接着折曲部
３１，３２，３３                        糊付部
３４                                    スリット部
３５                                    ミシン目形成部
３６                                    折曲部
３７                                    カット部
Ａ，Ｂ                                  輪転印刷機
【図１】
2010030319.tif 000003
【図２】
2010030319.tif 000004
【図３】
2010030319.tif 000005
【図４】
2010030319.tif 000006
【図５】
2010030319.tif 000007
【図６】
2010030319.tif 000008
【図７】
2010030319.tif 000009
【図８】
2010030319.tif 000010
【図９】
2010030319.tif 000011
【図１０】
2010030319.tif 000012
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
同寸法で形成された表裏２枚の表紙紙片とその間に挿入される１枚の中間紙片からなり、前記表紙紙片と前記中間紙片を一方の端縁にて揃えて接着部にて接着した付録つきチラシであって、前記中間紙片が、左右方向の寸法が前記表紙紙片の左右方向の寸法より一定寸法だけ大きく突出し該突出した部分を前記表紙紙片の他方の端縁に位置する折目にて折り返し、該折り返した紙片の端縁を対向する前記中間紙片面に接着するとともに前記中間紙片の折目の近傍に該折目に平行にミシン目を設けることにより形成された封緘部を有する構成からなることを特徴とする付録つきチラシ。
【請求項２】
同寸法で形成された表裏２枚の表紙紙片とその間に挿入される１枚の中間紙片からなり、前記表紙紙片と前記中間紙片を一方の端縁にて揃えて接着部にて接着することにより背側綴部とした付録つきチラシであって、前記中間紙片が、左右方向の寸法が前記表紙紙片の左右方向の寸法より一定寸法だけ大きく突出し該突出した部分を前記表紙紙片の開放された他方の端縁に位置する折目にて折り返し、該折り返した紙片の端縁を対向する前記中間紙片面に接着するとともに前記中間紙片の折目の近傍に該折目に平行にミシン目を設けることにより形成された封緘部を有する構成からなり、前記表裏２枚の表紙紙片の他方の端縁は同一の用紙をスリットして２分割することにより新たに形成された端縁であることを特徴とする付録つきチラシ。
【請求項３】
前記表紙紙片と前記中間紙片とが、一方の端縁方向の長さが同一であり、該両端縁にて揃っていることを特徴とする請求項１記載の付録つきチラシ。
【手続補正３】
【補正対象書類名】明細書
【補正対象項目名】０００３
【補正方法】変更
【補正の内容】
【０００３】
本発明は、一方の端縁にて接着された２枚の表紙紙片と１枚の中間紙片からなり、中間紙片の他方の端縁にミシン目に沿って切って開封できる封緘部が形成されており、切り離し可能に引換券等が形成されている、顧客吸引力が高く且つ印刷面積の大きい付録つきチラシを提供することにある。
【手続補正４】
【補正対象書類名】明細書
【補正対象項目名】０００６
【補正方法】変更
【補正の内容】
【０００６】
また、本発明の付録つきチラシは、同寸法で形成された表裏２枚の表紙紙片とその間に挿入される１枚の中間紙片からなり、前記表紙紙片と前記中間紙片を一方の端縁にて揃えて接着部にて接着することにより背側綴部とした付録つきチラシであって、前記中間紙片が、左右方向の寸法が前記表紙紙片の左右方向の寸法より一定寸法だけ大きく突出し該突出した部分を前記表紙紙片の開放された他方の端縁に位置する折目にて折り返し、該折り返した紙片の端縁を対向する前記中間紙片面に接着するとともに前記中間紙片の折目の近傍に該折目に平行にミシン目を設けることにより形成された封緘部を有する構成からなり、前記表裏２枚の表紙紙片の他方の端縁は同一の用紙をスリットして２分割することにより新たに形成された端縁であることを特徴とするものである。
【手続補正５】
【補正対象書類名】明細書
【補正対象項目名】０００８
【補正方法】変更
【補正の内容】
【０００８】
本発明の付録つきチラシを、２台の輪転印刷機を使用して広幅用紙と狭幅用紙に印刷する工程とインラインで加工が可能な製造方法にて製造することにより、左右方向の寸法の大きい２枚の表紙紙片と１枚の中間紙片からなり、中間紙片に封緘部が形成された付録つきチラシを、簡単な工程で低コストで効率的に大量生産することきができるものである。